(57)【要約】【課題】筐体構造として回転２軸構造を持つ折畳み式の携帯無線機において、アンテナ素子としても用いる第１ヒンジと、第１筐体内の回路基板と第３筐体内の回路基板とを接続する制御線との間のクリアランスを確保することができる携帯無線機を提供する。【解決手段】第１ヒンジ１１０に対して筐体短手方向反対側の第２筐体３の端部に、第１筐体２と第２筐体３とを閉じた状態で第１筐体２方向へ突出する突出部３ｂを配置し、その突出部３ｂの内部に制御線１５０を通すようにして、第１ヒンジ１１０と制御線１５０との間のクリアランスを広げた。これにより、第１ヒンジ１１０の制御線１５０による影響が低減し、高いアンテナ性能を得ることが可能となる。【選択図】図２
2011239200.tif 000002
【特許請求の範囲】
【請求項１】
第１筐体と、
第２筐体と、
第３筐体と、
前記第１筐体と前記第２筐体とを開閉自在に連結する導電材料で構成された第１ヒンジと、
前記第２筐体と前記第３筐体とを回転自在に連結する第２ヒンジと、
前記第１筐体内に設けられた第１回路基板と、
前記第３筐体内に設けられた第２回路基板と、
前記第１回路基板上に配置され、前記第１ヒンジと電気的に接続される無線部と、
前記第１回路基板と前記第２回路基板とを接続する制御線と、
前記第２筐体の端部に設けられ、前記第１筐体と前記第２筐体とを閉じた状態で前記第１筐体方向へ突出する突出部と、を備え、
前記制御線は、前記第１ヒンジに対し筐体短手方向反対側に配置された前記突出部の内部を通ることを特徴とする携帯無線機。
【請求項２】
前記第１筐体の厚み内に存在する前記第１ヒンジの第１回転軸と、前記第１回転軸と略垂直であり筐体短手方向中央に設けられた前記第２ヒンジの第２回転軸と、を備えたことを特徴とする請求項１に記載の携帯無線機。
【請求項３】
前記突出部と前記第１ヒンジが１／６０波長以上離れていることを特徴とする請求項１又は請求項２に記載の携帯無線機。
【請求項４】
前記制御線と前記第１ヒンジが１／６０波長以上離れていることを特徴とする請求項１乃至請求項３のいずれかに記載の携帯無線機。
【請求項５】
前記第１ヒンジは押下されるボタンを搭載し、前記ボタンの押下により回動動作を行う機構を備えたことを特徴とする請求項１乃至請求項４のいずれかに記載の携帯無線機。
【発明の詳細な説明】
【技術分野】
【０００１】
本発明は、回転２軸構造を持つ折畳み式の携帯無線機に関する。
【背景技術】
【０００２】
従来、３つの筐体から成り、その第１筐体と第２筐体との間に第１ヒンジが設けられるとともに、第２筐体と第３筐体との間の第２ヒンジが設けられた回転２軸構造（スィーベル構造とも呼ばれる）を持つ折畳み式の携帯無線機が開発されている。
【０００３】
図４は、従来の一般的な回転２軸構造を持つ折畳み式の携帯無線機１００の概観を示す斜視図であり、同図の（ａ）は縦開き状態を示し、（ｂ）は縦開き状態、かつ第３筐体１０３を略９０度回転させた状態を示している。第１ヒンジ１１０は、第１筐体１０１と第２筐体１０２を回動自在に連結して第２筐体１０２の縦開き方向Ａ（図４の（ａ）参照）の回動を可能にしている。第２ヒンジ１１１は、第２筐体１０２と第３筐体１０３を回動自在に連結して第３筐体１０３の左右方向Ｂ（図４の（ｂ）参照）の回動を可能にしている。
【０００４】
図５は、図４の携帯無線機１００の内部の概略構成を示す図であり、（ａ）は側面図、（ｂ）は正面図である。同図において、第１筐体１０１内には、第１ヒンジ１１０、第１回路基板１２０及び給電部１３０が設けられている。第１ヒンジ１１０は、折畳み式の携帯無線機の強度の要であり、一般的に金属が用いられ、かつ大型に形成される。第１ヒンジ１１０は、第１筐体１０１と第２筐体１０２を回動自在に連結する以外にアンテナ素子としても用いられ、第１回路基板１２０に実装された無線部１２１と給電部１３０を介して接続される。なお、ヒンジに金属製のものを使用してアンテナ素子として構成するようにしたものとして、例えば特許文献１で開示された携帯無線機が知られている。
【０００５】
第３筐体１０３内には、第２ヒンジ１１１と第２回路基板１４０が設けられており、第２回路基板１４０には図示しない表示器が実装されている。第２ヒンジ１１１は、第２筐体１０２と第３筐体１０３との回転トルクに耐え得るように筐体幅方向に長くした略Ｈ字に形成されており、その中央部分には上下方向（Ｚ軸方向）に貫通する貫通口１１１ａが形成されている。第２ヒンジ１１１も第１ヒンジ１１０と同様に金属製のものが用いられる。第２ヒンジ１１１に形成された貫通口１１１ａには、第１筐体１０１内の第１回路基板１２０と第３筐体１０３内の第２回路基板１４０とを接続する制御線１５０が通されている。制御線１５０の両端には第１回路基板１２０及び第２回路基板１４０と接続するためのコネクタ１６０が接続されている。また、制御線１５０はシールド線で被覆されており、第１回路基板１２０側の端がコネクタ１６０を介して第１回路基板１２０のグランドパターンに接続され、第２回路基板１４０側の端がコネクタ１６０を介して第２回路基板１４０のグランドパターンに接続される。
【先行技術文献】
【特許文献】
【０００６】
【特許文献１】特開２００９−０９４８６０号公報
【発明の概要】
【発明が解決しようとする課題】
【０００７】
しかしながら、上述した従来の回転２軸構造を持つ折畳み式の携帯無線機１００においては、構造上、第１ヒンジ１１０と第２ヒンジ１１１が近接して配置されることから、第２ヒンジ１１１の貫通口１１１ａを通過する制御線１５０の一部分が第１ヒンジ１１０の傍を通過し、それがアンテナ素子として使用される第１ヒンジ１１０の放射抵抗を下げて、アンテナ性能を低下させるという課題がある。
【０００８】
図６は、携帯無線機１００が閉じた状態における、第１筐体１０１と第２筐体１０２との接続部分の構造を示す図である。すなわち、図５に示すＸ，Ｙ，Ｚの３軸方向のうち、ＸＹ面を−Ｚ軸方向から見た図である。同図において、制御線１５０の点線１７０で囲んだ部分が第１ヒンジ１１０の傍を通過している。その部分がアンテナ素子として使用される第１ヒンジ１１０に影響し、放射抵抗を下げてしまう。一般にアンテナ素子の近傍に金属があるとアンテナ素子の放射抵抗が下がり、アンテナ性能が低下することが確認されており、高いアンテナ性能を得るにはアンテナ素子をグランドなどの金属からできるだけ離して配置することが望ましい。
【０００９】
前述した特許文献１においては、制御線が金属製のヒンジに接近することによるアンテナ性能劣化に関しては触れられていない。
【００１０】
本発明は、係る事情に鑑みてなされたものであり、筐体構造として回転２軸構造を持つ折畳み式の携帯無線機において、アンテナ素子としても用いる第１ヒンジと、第１筐体内の回路基板と第３筐体内の回路基板とを接続する制御線との間のクリアランスを確保することができる携帯無線機を提供することを目的とする。
【課題を解決するための手段】
【００１１】
本発明の携帯無線機は、第１筐体と、第２筐体と、第３筐体と、前記第１筐体と前記第２筐体とを開閉自在に連結する導電材料で構成された第１ヒンジと、前記第２筐体と前記第３筐体とを回転自在に連結する第２ヒンジと、前記第１筐体内に設けられた第１回路基板と、前記第３筐体内に設けられた第２回路基板と、前記第１回路基板上に配置され、前記第１ヒンジと電気的に接続される無線部と、前記第１回路基板と前記第２回路基板とを接続する制御線と、前記第２筐体の端部に設けられ、前記第１筐体と前記第２筐体とを閉じた状態で前記第１筐体方向へ突出する突出部と、を備え、前記制御線は、前記第１ヒンジに対し筐体短手方向反対側に配置された前記突出部の内部を通ることを特徴とする。
【００１２】
上記構成によれば、第２筐体の端部に設けた突出部、すなわち第１ヒンジに対し筐体短手方向反対側に配置した突出部において、その内部に制御線を通すようにしたので、第１ヒンジと制御線との間のクリアランスを確保することができる。これにより、アンテナ素子としても用いる第１ヒンジの制御線による影響を低減でき、高いアンテナ性能を得ることができる。
【００１３】
上記構成において、前記第１筐体の厚み内に存在する前記第１ヒンジの第１回転軸と、前記第１回転軸と略垂直であり筐体短手方向中央に設けられた前記第２ヒンジの第２回転軸と、を備えたことを特徴とする。
【００１４】
上記構成によれば、回転２軸構造を実現できる。
【００１５】
上記構成において、前記突出部と前記第１ヒンジが１／６０波長以上離れていることを特徴とする。
【００１６】
上記構成によれば、制御線を第１ヒンジから１／６０波長以上離すことで、第１ヒンジの制御線による影響を低減でき、高いアンテナ性能を得ることができる。
【００１７】
上記構成において、前記制御線と前記第１ヒンジが１／６０波長以上離れていることを特徴とする。
【００１８】
上記構成によれば、制御線を第１ヒンジから１／６０波長以上離すことで、第１ヒンジの制御線による影響を低減でき、高いアンテナ性能を得ることができる。
【００１９】
上記構成において、前記第１ヒンジは押下されるボタンを搭載し、前記ボタンの押下により回動動作を行う機構を備えたことを特徴とする。
【００２０】
上記構成によれば、第１ヒンジにあるボタンを押下することで、自動的に第１筐体と第３筐体が開状態となる。
【発明の効果】
【００２１】
本発明によれば、筐体構造として回転２軸構造を持つ折畳み式の携帯無線機において、アンテナ素子としても用いる第１ヒンジと、第１筐体内の回路基板と第３筐体内の回路基板とを接続する制御線との間のクリアランスを確保することができるので、アンテナ素子としても用いる第１ヒンジの制御線による影響を低減できて、高いアンテナ性能を得ることができる。
【図面の簡単な説明】
【００２２】
【図１】本発明の一実施の形態に係る携帯無線機の内部の概略構成を示す図
【図２】図１の携帯無線機の後ろ側に廻り、第３筐体から第１筐体に向かう方向で見た、第１筐体と第２筐体との接続部分の構造を示す図
【図３】図１の携帯無線機の第１ヒンジの応用例であるワンプッシュヒンジの概観を示す斜視図
【図４】従来の一般的な回転２軸構造を持つ折畳み式の携帯無線機の概観を示す斜視図
【図５】図４の携帯無線機の内部の概略構成を示す図
【図６】図５の携帯無線機の後ろ側に廻り、第３筐体から第１筐体に向かう方向で見た、第１筐体と第２筐体との接続部分の構造を示す図
【発明を実施するための形態】
【００２３】
以下、本発明を実施するための好適な実施の形態について、図面を参照して詳細に説明する。
【００２４】
図１は、本発明の一実施の形態に係る携帯無線機の内部の概略構成を示す図であり、（ａ）は側面図、（ｂ）は正面図である。本実施の形態に係る携帯無線機１は、前述した従来の携帯無線機１００と同様の回転２軸構造を持つ折畳み式の携帯無線機であるが、従来の携帯無線機１００とは、第１ヒンジ１１０が設けられた第１筐体２及び第２筐体３それぞれの接続部分の形状に違いがある。
【００２５】
本実施の形態に係る携帯無線機１は、回転２軸構造を持つことから、第１筐体２の厚み内には第１ヒンジ１１０の第１回転軸（図示略）が設けられている。また、第１ヒンジ１１０の第１回転軸と略垂直であり、第２筐体３及び第３筐体１０３の筐体短手方向Ｃの中央に第２ヒンジ１１１の第２回転軸（図示略）が設けられている。
【００２６】
図２は、携帯無線機１が閉じた状態における、第１筐体２と第２筐体３との接続部分の構造を示す図である。すなわち、図１に示すＸ，Ｙ，Ｚの３軸方向のうち、ＸＹ面を−Ｚ軸方向から見た図である。同図において、第１筐体２と第２筐体３とが嵌合する接続部分の第１筐体２において、突出部２a、２ｂを有する。
【００２７】
一方、第２筐体３において、第１筐体２と嵌合する突出部３ａ、３ｂを有し、これらの突出部３a、３ｂは、第１筐体２と第２筐体３とを閉じた状態で第１筐体２方向へ突出する。また、突出部３ｂは、第１ヒンジ１１０に対して、筐体短手方向Ｃの反対側に配置され、突出部３ｂと第１ヒンジ１１０との間の距離は、無線部１２１の動作周波数（例えば８００ＭＨｚ）のλ／６０以上とするのが望ましい。
【００２８】
第１筐体２内の第１回路基板１２０と第３筐体１０３内の第２回路基板１４０とを接続する制御線１５０は、第２筐体３の突出部３ｂの内部を通る。第２筐体３の突出部３ｂの内部に制御線１５０を通すことで、制御線１５０を第１ヒンジ１１０からλ／６０以上離すことができる。第１ヒンジ１１０から制御線１５０を離すことで、第１ヒンジ１１０をアンテナ素子としても使用した場合に、第１ヒンジ１１０が制御線１５０の影響を殆ど受けなくなり、高いアンテナ性能を得ることができる。
【００２９】
このように本実施の形態に係る携帯無線機１によれば、第１ヒンジ１１０に対して筐体短手方向反対側の第２筐体３の端部に、第１筐体２と第２筐体３とを閉じた状態で第１筐体２方向へ突出する突出部３ｂを配置し、その突出部３ｂの内部に制御線１５０を通すようにして、第１ヒンジ１１０と制御線１５０との間のクリアランスを広げることで、第１ヒンジ１１０の制御線１５０による影響が低減し、高いアンテナ性能を得ることが可能となる。
【００３０】
なお、本実施の形態に係る携帯無線機１では、第１筐体２と第２筐体３を含む第３筐体１０３を開く際に、一方の手で第１筐体２を持ち、他方の手で第３筐体１０３を持って開くことになるが、この開く動作を自動的に行うようにすることも可能である。図３は、第１筐体２と第２筐体３を含む第３筐体１０３を自動的に開くことができるようにしたワンプッシュヒンジの概観を示す斜視図である。同図において、ワンプッシュヒンジ（以下、第１ヒンジと呼ぶ）１８０は、押下されるボタン１８０ｃを搭載し、このボタン１８０ｃを押下することで、第１ヒンジ１８０内部のバネ（図示略）の力によって第１筐体２と第２筐体３を含む第３筐体１０３を開状態にする機構を備えている。すなわち、第１ヒンジ１８０の略円筒形状の固定部１８０ａにおける一方の端部が、同じく略円筒形状の摺動部（第１回転軸に相当）１８０ｂと同心円上に回転可能な状態で接続され、固定部１８０ａの他端にはボタン１８０ｃが接続されている。第１ヒンジ１８０の内部には図示せぬ金属製のバネと軸が設けられており、ボタン１８０ｃを押すことにより、摺動部１８０ｂが回転する。摺動部１８０ｂが回転することで、第１筐体２と第２筐体３を含む第３筐体１０３が開状態になる。このように、ワンプッシュ式の第１ヒンジ１８０を用いることによって、簡単かつ短時間で第１筐体と第２筐体３を含む第３筐体１０３を開状態にすることができる。
【産業上の利用可能性】
【００３１】
本発明は、筐体構造として回転２軸構造を持つ折畳み式の携帯無線機において、アンテナ素子としても用いる第１ヒンジと、第１筐体内の回路基板と第３筐体内の回路基板とを接続する制御線との間のクリアランスを確保して、第１ヒンジの制御線による影響が低減できるといった効果を有し、携帯電話、ＰＨＳ（Personal Handy-Phone System）、ノートパソコン、携帯型ゲーム、携帯型オーディオ、デジタルカメラ、デジタルビデオカメラ、電子ブック、電子辞書等の携帯無線機への適用が可能である。
【符号の説明】
【００３２】
１  携帯無線機
２  第１筐体
２ａ、２ｂ  突出部
３  第２筐体
３ａ、３ｂ  突出部
１０３  第３筐体
１１０、１８０  第１ヒンジ
１１１  第２ヒンジ
１２０  第１回路基板
１２１  無線部
１３０  給電部
１４０  第２回路基板
１５０  制御線
１６０  コネクタ
１８０ａ  固定部
１８０ｂ  摺動部
１８０ｃ  ボタン
【図１】
2011239200.tif 000003
【図２】
2011239200.tif 000004
【図３】
2011239200.tif 000005
【図４】
2011239200.tif 000006
【図５】
2011239200.tif 000007
【図６】
2011239200.tif 000008